(57)【要約】本発明は、先端部および出口を備えるカニューレに関し、このようなカニューレは、内径が縮小する部分を有しており、この縮小部は、カニューレの隣接部分の内径よりも短い長さをその末端が有する、円錐形にテーパリングする先端部として設計される。【選択図】図１【特許請求の範囲】
【請求項１】
先端部（３）と出口とを有するカニューレ（１）であって、前記カニューレは、内径の縮小部（４）を呈する、カニューレ。
【請求項２】
請求項１に記載のカニューレであって、前記内径の収縮（４）が円錐形にテーパリングする先端部（７）の形態であることを特徴とする、カニューレ。
【請求項３】
請求項１〜２のいずれか１項に記載のカニューレであって、先端部（３）の円錐形端部が、それに隣接するカニューレのエリアの内径の長さよりも短い長さ（５）を有することを特徴とする、カニューレ。
【請求項４】
請求項１〜３のいずれか１項に記載のカニューレであって、前記内径の縮小部（４）が、異なる直径を有する２つの円筒状カニューレ断面の間の口径の狭窄の形態であることを特徴とする、カニューレ。
【請求項５】
請求項４に記載のカニューレであって、前記内径の縮小部が、カニューレの先端部から離れて挿入長の２５％〜４０％に、好ましくは約３０％〜３５％に位置することを特徴とする、カニューレ。
【請求項６】
請求項１〜５のいずれか１項に記載のカニューレであって、それが、２０〜５０ｃｍ、好ましくは２８〜４５ｃｍの挿入長を有することを特徴とする、カニューレ。
【請求項７】
請求項１〜６のいずれか１項に記載のカニューレであって、前記内径の縮小部（４）が、２〜４Ｆｒの縮小であることを特徴とする、カニューレ。
【請求項８】
請求項１〜７のいずれか１項に記載のカニューレであって、側方の穴（１３〜１８）を有し、かつ直径の前記縮小が、前記カニューレの前記側方の穴と先端部（３）との間に配置されことを特徴とする、カニューレ。
【請求項９】
請求項１〜８のいずれか１項に記載のカニューレであって、バルブ（３０）を有することを特徴とする、カニューレ。
【請求項１０】
請求項９に記載のカニューレであって、前記バルブ（３０）が、前記内径の縮小部（４）のエリアに配置されることを特徴とする、カニューレ。
【請求項１１】
請求項９または１１のいずれか１項に記載のカニューレであって、前記バルブ（３０）が少なくとも１つおよび好ましくはいくつかのフラップ（３４〜３６）を有することを特徴とする、カニューレ。
【請求項１２】
請求項１１に記載のカニューレであって、前記少なくとも１つフラップ（３４〜３６）が、バネ機構を有することを特徴とする、カニューレ。
【請求項１３】
請求項１〜１２のいずれか１項にさらに詳細に記載されるカニューレであって、その内側で、少なくとも断面で、らせん形の構造（４１）を備えることを特徴とする、カニューレ。
【請求項１４】
請求項１３に記載のカニューレであって、前記構造（４１）が隆起であることを特徴とする、カニューレ。
【請求項１５】
前記構造（４５〜４８）が凹部であることを特徴とする、請求項１３または１４に記載のカニューレ。
【請求項１６】
請求項１３〜１５のいずれか１項に記載のカニューレであって、前記構造（４３、４４）が多条ネジであることを特徴とする、カニューレ。
【請求項１７】
請求項１３〜１６のいずれか１項に記載のカニューレであって、前記構造が、前記カニューレのワイヤ補強によって形成されることを特徴とする、カニューレ。
【発明の詳細な説明】
【技術分野】
【０００１】
本発明は、シリンジおよび出口を備える、カニューレに関する。
【背景技術】
【０００２】
このようなカニューレは、特に、動脈カニューレとして用いられる。種々の直径および長さで利用可能である。
【発明の概要】
【発明が解決しようとする課題】
【０００３】
本発明の目的は、このようなカニューレをさらに開発することである。
【課題を解決するための手段】
【０００４】
本発明の第一の態様によれば、この目的は、カニューレの内径を縮小することで達成される。
【０００５】
内径の縮小部部は、円錐形にテーパリングする先端部の形態であってもよい。この場合、この形態は、この先端部の円錐形端部がそれに隣接するカニューレのエリアの内径よりも短い長さを有する場合、有利であり得る。
【０００６】
内径の縮小部部はまた、異なる直径を有する２つの円筒状カニューレ断面の間で狭窄する口径の形態であってもよい。
【０００７】
この場合、内径の縮小部が、カニューレの先端部から離れて挿入長の２５％〜４０％に、好ましくは約３０％〜３５％の距離に位置する場合に、有利である。実施形態の有利な例では、カニューレまたは挿入長のほぼ３分の２の後にテーパリングが始まる。
【０００８】
カニューレの好ましい挿入長は、ほぼ、２０〜５０ｃｍ、好ましくは２８〜４５ｃｍである。これによって、その長さ次第で、いくつかの適用の変化型が可能になる。短い挿入長では、腎動脈の下の適用が可能になり、長い挿入長では、腎動脈の上または腎動脈での適用が可能になる。
【０００９】
内径の縮小部次第で、口径の急激な変化が生じ、これは、例えば、２〜４Ｆｒというデルタを示し得る。妥当な実施の例は、１５Ｆｒ〜１３Ｆｒ、１７Ｆｒ〜１５Ｆｒ、１７Ｆｒ〜１３Ｆｒ、１９Ｆｒ〜１７Ｆｒ、および１９Ｆｒ〜１５Ｆｒである。
【００１０】
カニューレの内径のこのような縮小によって、カニューレ先端部でのジェット流、短い挿入長、または内径の縮小部したカニューレ断面が生じる。
【００１１】
カニューレの実施形態の有利な変化型によって、これが側方の穴を有し、縮小直径が、側方の穴とカニューレの先端部との間に配置されることが想定される。カニューレのそのような穴の配列を通じて、下肢の灌流は確実にされ、そして、後負荷は減らされる。
【００１２】
側方の穴は、いくつかの穴が、そのカニューレの同じ横断面にあるように、カニューレの４つ全ての四分円にいずれが提供されてもよい。さらに、例えば、１〜３個の穴のようないくつかの穴が、他の穴の後ろに一列で配列されてもよい。
【００１３】
別の形態の実施形態では、２つの四分円（１８０°）または３つの四分円（１２０°）では、１〜３つの穴が、いずれの場合も、他の後ろに配置された穴であることが想定される。しかし、各々が、他の後の穴の後ろの３つの穴のもの、または互いに関して９０°でオフセットされる穴を有する、２つのエリアも設けられてもよい。
【００１４】
特に穴と接続して、カニューレはバルブを有することが提唱される。このようなバルブは好ましくは、直径縮小のエリアに配置される。実施形態の好ましい例によれば、少なくとも１つおよび好ましくはいくつかのフラップを備える、バルブを有するカニューレが想定される。
【００１５】
このようなバルブ機構は、例えば、３つの弁尖を有する大動脈弁の原理に基づく。好ましくは、バルブの基部は、口径の変化への移行に配置される。ポンプ加速の間にさらに強力な流れの結果として、バルブが開く。容積流量に対する相対的なフラップ開口の比は、フラップの位置決めおよびデザインを通じて設定され得る。
【００１６】
実施形態の好ましい例によれば、バルブは、カニューレ先端部の開口とそのカニューレに配列された側方の穴との間に位置する。従って、灌流の部分流は、ほぼカニューレの中心を通ってカニューレ先端部へもたらされ、別の穴を通じた別の部分流が、カニューレの壁に整列した。側方の穴とカニューレ先端部との間に位置したバルブは、それによってこれらの部分流を変化し得る。狭くなったバルブでは、容積流量は、側方の穴で増大し、開放されたバルブでは、カニューレ先端部への容積流量が増大する。
【００１７】
実施形態の好ましい例によって、そのバルブは、少なくとも１つのフラップ、および好ましくはいくつかのフラップを有することが想定される。これらのフラップをカニューレ内に配置して、カニューレ内のカニューレ先端部に対する側方浸透量を制限してもよい。これは、少なくとも１つのフラップがバネ機構を有する場合に有利である。このバネ機構は、バネを通じて達成されてもよいし、または材料の選択およびフラップのデザインを通じて達成されてもよい。
【００１８】
このカニューレを用いる場合、カニューレを通じた低い側方浸透量の段階に、例えば、心臓の収縮期の間、バルブのバネ力は、カニューレを閉じるか、または側方浸透量を低下し得る。ここでは、容積流量の力は、バルブのバネ力に対して作用する。容積流量の力がバルブのバネ力より小さい場合、そのバルブは閉じる。側方の穴が存在する場合、これによって、血流が生じ、この血流は主に側方の穴を通じて差し向けられ、従って、例えば、下肢に供給される。これは、例えば、心原性ショックの間の心臓収縮期に生じる。なぜならこれは、下肢がそれを通じて血液をよりよく供給される、バルブを開放するには弱すぎるからである。側方の穴の配置次第で、腎動脈はまたこの状況でも供給されてもよい。
【００１９】
バルブを閉じるための機構として、バルブを通じた流れが、容積流量の低下したフラップの材料剛性によって減少される、受動的機構が想定され得る。代替的に、または追加して、バネ機構が、バルブ弁尖の外側端部上に設けられてもよい。
【００２０】
本発明のさらなる態様によって、その内側でカニューレは、少なくとも断面で、らせん形の構造を有することが想定される。このような構造を通じて、カニューレ内に流れる流体は、回転運動を獲得し得、それによって流れが安定化される。これは、カニューレの内側の任意の変化が安定な容積流量に影響する、特に、テーパリング、開口またはバルブと接続されて有利である。
【００２１】
カニューレの内側のらせん形の構造は、例えば、カニューレ内の穴の空間配置を通じて達成されてもよい。しかし、代替的に、または追加して、ライフル銃身のらせんの原理によって、エンボス加工がカニューレの内側に提供されることが想定される。実施形態の第一の例によれば、この構造は、隆起の形態である。このため、例えば、容積の内側に凸状に貫く、らせん形の構造または多条ネジ構造が提供される。このような構造は、カニューレの内壁に組み込まれても、または適用されてもよい。そうするためには、凸面と凹面のカニューレエリアの間の混合型を提供してもよく、これは、カニューレの内壁に対する適用および除去、またはカニューレの全ての内側の対応する設計によって生成される。
【００２２】
この構造は、全カニューレ長にまたがるか、またはカニューレ長の一部のみにまたがりカニューレ内に伸長し得る。例えば、流れの方向で、この構造は、カニューレで流れる媒体にそこで回転運動を与えるだけのためには、挿入長の最後の三分の一に設けられてもよい。
【００２３】
らせん形の構造の傾斜は、関連する回転運動をもたらす。その構造の傾斜は、サイナスα（カニューレ長をカニューレ径で割る）として、または逆数値のサイナスαとして与えられ得る。これによって、傾斜＝サイナスα（カニューレ長を径で割る）または傾斜＝サイナスα（１をカニューレ長または径で割る）が得られる。
【００２４】
特殊な変化型によって、その構造は、カニューレのワイヤ補強によって形成されることが想定される。カニューレ内で提供されるワイヤ補強は、らせんであってもよく、カニューレ内に対応するらせん構造を生じ、これがこのカニューレ内の回転運動をもたらす。
【００２５】
本発明によるカニューレの実施形態の例は、図面で示され、下にさらに詳細に記載される。
【図面の簡単な説明】
【００２６】
【図１】図１は、テーパリングする細長い先端部を有するカニューレの側面図を示す。
【図２】図２は、円錐形の先端部を有するカニューレの側面図を示す。
【図３】図３は、その円周上にいくつかの穴を有するカニューレの側面図を示す。
【図４】図４は、円周上にお互いに対して穴配置のオフセットを有するカニューレの側面図を示す。
【図５】図５は、開放バルブの機能を、部分的に断面の側面で模式的に示す。
【図６】図６は、図５に示されるバルブの前面図を模式的に示す。
【図７】図７は、部分的に閉じたバルブの側面図を模式的に示す。
【図８】図８は、図７に示されるバルブの前面図を模式的に示す。
【図９】図９は、凸状のらせん形の隆起を有するバルブを通じた断面図を模式的に示す。
【図１０】図１０は、２つの反対側のらせん形の隆起を有するカニューレを通じた断面図を模式的に示す。
【図１１】図１１は、４つの凹面状に設計されたらせん形のくぼみを有するカニューレを通じた断面図を模式的に示す。
【発明を実施するための形態】
【００２７】
図１に示されるカニューレ１は、円筒状基本体２、円筒状カニューレ先端部３、および、その間に、大きい方の直径を有する円筒状基本体２と、より小さい直径を有する円筒状先端部３との間の移行を形成する、凹面テーパリングを、直径縮小４として有する。テーパリング４の位置は、長さ５が、カニューレまたは挿入長の三分の二であるように選択される。
【００２８】
図２は、カニューレ６の別の前端部を示し、ここでは、円錐形のテーパリング７が、カニューレ６の前端部を形成し、その結果カニューレ６は、長さ８を有する円錐形のカニューレ先端部を有する。
【００２９】
穴９、１０は、カニューレ内に、および好ましくは、より大きい直径を有するカニューレの基本体２中に設けられてもよい。図３は、カニューレの長軸方向で９０°で各々オフセットの穴の配置を示す。実施形態のこの例では、従って、お互いに対して、わずかにオフセットの穴の４つの列１１、１２があり、その各々が３つの穴、１３〜１５、１６〜１８および１９〜２１を有する。
【００３０】
図４に示される実施形態の例では、全体の列２２、２３、２４が各々、お互いに対してオフセットで配列される。実施形態のこの例では、各々の列は、３つの穴を有する。しかし、２つ以上の穴もまた設けられてもよい。
【００３１】
図５〜８に示されるバルブでは、３つのバルブ弁尖３４、３５、３６が、大きい方の直径を有するカニューレ断面３２と、より小さい直径を有するカニューレ断面３３との間のテーパリングするエリア３１で設けられ、これはテーパリングエリア３１内のカニューレの内壁に付けられる。これらのバルブ弁尖３４〜３６は、容積流量３７によって開口され、その結果開口３８が生じて、これを通じて、流体が、カニューレ断面３２からカニューレ断面３３に流れ得る。
【００３２】
図７および図８に示されるような、容積流量３７の圧力が、低下する場合、バルブ弁尖３４〜３６は、それらの材料剛性によって内向きに強制され、その結果、開口部３８は閉じて、ここでバルブ弁尖３４〜３６が、お互いとポイント３９で接触して、側方浸透量を妨げるか、または停止する。
【００３３】
カニューレ内に回転運動を与えるための種々の変化型を図９〜図１１に示す。これらは、カニューレ内に回転運動を与える可能性を示すための実施形態の変化型を模式的に示すに過ぎない。図９は、カニューレ内にらせん方式で伸展する、半径方向内側に出っ張る隆起４１を有するカニューレ４０を示す。二条ネジの形態の実施形態を図１０に示す。ここで、第一の隆起４３および隆起４３の反対側の第二の隆起４４が、カニューレ４２中に設けられる。両方の隆起とも、カニューレ４２内で形成される二条ネジらせんの一部を形成する。
【００３４】
図１１では、４つの凹部の例を用いて、回転運動が、カニューレ４９内の凹部４５〜４８の手段で、カニューレ中で運ばれる流体にどのように与えられ得るかが示される。
【図１】
2018512957.tif 000002
【図２】
2018512957.tif 000003
【図３】
2018512957.tif 000004
【図４】
2018512957.tif 000005
【図５】
2018512957.tif 000006
【図６】
2018512957.tif 000007
【図７】
2018512957.tif 000008
【図８】
2018512957.tif 000009
【図９】
2018512957.tif 000010
【図１０】
2018512957.tif 000011
【図１１】
2018512957.tif 000012
【手続補正書】
【提出日】平成29年12月27日(2017.12.27)
【手続補正１】
【補正対象書類名】特許請求の範囲
【補正対象項目名】全文
【補正方法】変更
【補正の内容】
【特許請求の範囲】
【請求項１】
先端部（３）と出口とを有するカニューレ（１）であって、前記カニューレは、内径の縮小部（４）を呈し、
バルブ（３０）を有し、前記バルブ（３０）が前記内径の縮小部（４）のエリアに配置されることを特徴とする、カニューレ。
【請求項２】
請求項１に記載のカニューレであって、側方の穴（１３〜１８）を有し、かつ前記内径の縮小部が、前記カニューレの前記側方の穴と前記先端部（３）との間に配置されることを特徴とする、カニューレ。
【請求項３】
請求項１または２に記載のカニューレであって、前記バルブ（３０）が少なくとも１つおよび好ましくはいくつかのフラップ（３４〜３６）を有することを特徴とする、カニューレ。
【請求項４】
請求項３に記載のカニューレであって、少なくとも１つの前記フラップ（３４〜３６）が、バネ機構を有することを特徴とする、カニューレ。
【請求項５】
請求項３または４に記載のカニューレであって、前記フラップの１つの基部が、前記内径の縮小部のエリアに配置されることを特徴とする、カニューレ。
【請求項６】
請求項１〜５のいずれか一項に記載のカニューレであって、前記内径の収縮（４）が円錐形にテーパリングする先端部（７）の形態であることを特徴とする、カニューレ。
【請求項７】
請求項１〜６のいずれか一項に記載のカニューレであって、先端部（３）の円錐形端部が、それに隣接するカニューレのエリアの内径の長さよりも短い長さ（５）を有することを特徴とする、カニューレ。
【請求項８】
請求項１〜７のいずれか一項に記載のカニューレであって、前記内径の縮小部（４）が、異なる直径を有する２つの円筒状カニューレ断面の間の口径の狭窄の形態であることを特徴とする、カニューレ。
【請求項９】
請求項８に記載のカニューレであって、前記内径の縮小部が、カニューレの先端部から離れて挿入長の２５％〜４０％に、好ましくは約３０％〜３５％に位置することを特徴とする、カニューレ。
【請求項１０】
請求項１〜９のいずれか一項に記載のカニューレであって、２０〜５０ｃｍ、好ましくは２８〜４５ｃｍの挿入長を有することを特徴とする、カニューレ。
【請求項１１】
請求項１〜１０のいずれか一項に記載のカニューレであって、前記内径の縮小部（４）が、２〜４Ｆｒの縮小であることを特徴とする、カニューレ。
【請求項１２】
請求項１〜１１のいずれか一項に記載のカニューレであって、その内側で、少なくとも断面で、らせん形の構造（４１）を備えることを特徴とする、カニューレ。
【請求項１３】
請求項１２に記載のカニューレであって、前記構造（４１）が隆起であることを特徴とする、カニューレ。
【請求項１４】
前記構造（４５〜４８）が凹部であることを特徴とする、請求項１２または１３に記載のカニューレ。
【請求項１５】
請求項１２〜１４のいずれか一項に記載のカニューレであって、前記構造（４３、４４）が多条ネジであることを特徴とする、カニューレ。
【請求項１６】
請求項１２〜１５のいずれか一項に記載のカニューレであって、前記構造が、前記カニューレのワイヤ補強によって形成されることを特徴とする、カニューレ。
【国際調査報告】
2018512957.tif 000013
2018512957.tif 000014
2018512957.tif 000015
2018512957.tif 000016
2018512957.tif 000017
2018512957.tif 000018
2018512957.tif 000019
2018512957.tif 000020
2018512957.tif 000021
2018512957.tif 000022